(57)【特許請求の範囲】
【請求項１】
把持部を有する電動歯ブラシ本体と、
ブラシを有するブラシ部材と、
前記ブラシを運動させる駆動手段と、
前記ブラシの向きを変更するために前記ブラシ部材を前記電動歯ブラシ本体に対して相対的に回転させる回転手段と、
前記電動歯ブラシ本体の姿勢を検出する姿勢検出手段と、
検出された姿勢に基づいて、歯軸に対する前記ブラシの角度であるブラシ角が予め定められた最適値になるように前記回転手段を制御する制御手段と、
を備えることを特徴とする電動歯ブラシ。
【請求項２】
前記制御手段は、
検出された姿勢に基づいて、歯列表面を区分することで定義される複数の部位の中からブラッシングされているブラッシング部位を推定する部位推定手段と、
検出された姿勢に基づいて、歯軸に対する前記ブラシの角度であるブラシ角を推定するブラシ角推定手段と、
を備え、
前記ブラッシング部位ごとに予め設定されているブラシ角の最適値と前記推定されたブラシ角とを比較して、ブラシ角が前記最適値になるように前記回転手段を制御することを特徴とする請求項１に記載の電動歯ブラシ。
【請求項３】
前記制御手段は、検出された姿勢に応じて、前記ブラシの運動方向又は運動周波数を変更するように前記駆動手段を制御することを特徴とする請求項１または２に記載の電動歯ブラシ。
【請求項４】
前記姿勢検出手段は、加速度センサの出力に基づいて姿勢を検出するものであることを特徴とする請求項１〜３のいずれかに記載の電動歯ブラシ。
【請求項５】
前記ブラシ角が前記最適値であることを報知する報知手段をさらに備えることを特徴とする請求項１〜４のいずれかに記載の電動歯ブラシ。
【請求項６】
前記最適値が変更可能であることを特徴とする請求項１〜５のいずれかに記載の電動歯ブラシ。
【請求項７】
前記制御手段は、電動歯ブラシの使用後または使用開始時に、前記ブラシ部材が予め設定された初期位置になるように前記回転手段を制御することを特徴とする請求項１〜６のいずれかに記載の電動歯ブラシ。
【発明の詳細な説明】
【技術分野】
【０００１】
本発明は、電動歯ブラシに関する。
【背景技術】
【０００２】
高速に運動するブラシを歯に当てることによって歯磨き（食物残渣や歯垢の除去）を行うタイプの電動歯ブラシが知られている。このような電動歯ブラシにおいては、ブラシをどのような角度で歯に当てるかにより、得られる刷掃効果に違いがでる。たとえばブラシを歯軸に対して９０度に当てれば、歯面に対して最も高い歯垢除去力を発揮できる。またブラシを歯軸に対して４５度に当てると、ブラシの毛先が歯間や歯周ポケット（歯と歯茎の間）に入り込みやすくなり、歯間や歯周ポケットから効果的に食物残渣や歯垢を掻き出すことができるようになる。
【０００３】
このように、ブラッシング部位あるいは所望する刷掃効果などに応じて、最適なブラシ角（歯軸に対するブラシの角度）が存在する。しかしながら、ほとんどのユーザは望ましいブラシ角があることすら意識していない。たとえブラシ角を意識したとしても、歯磨き中はブラシが実際に歯に当たっている様子を確認できないために、ブラシ角を最適値に合わせることは困難であった。
【０００４】
なお、特許文献１には、歯ブラシ本体の軸周りの向きを４段階または８段階に検出し、その検出結果からブラッシング部位を推定するというアイデアが開示されている。具体的には、本体内部に複数の扇状の区画が周方向に設けられており、導電性の球がどの区画に入っているかを電気抵抗の変化から検知することで、歯ブラシ本体の向きを推定している。ただしこのような機構は小型化が難しく、実施可能性に乏しい。
【特許文献１】特開２００５−１５２２１７号公報
【発明の開示】
【発明が解決しようとする課題】
【０００５】
本発明の目的は、電動歯ブラシにおいて適切なブラシ角を容易に実現するための技術を提供することにある。
【課題を解決するための手段】
【０００６】
上記目的を達成するために本発明は、以下の構成を採用する。
【０００７】
本発明の電動歯ブラシは、把持部を有する電動歯ブラシ本体と、ブラシを有するブラシ部材と、前記ブラシを運動させる駆動手段と、前記ブラシの向きを変更するために前記ブラシ部材を前記電動歯ブラシ本体に対して相対的に回転させる回転手段と、前記電動歯ブラシ本体の姿勢を検出する姿勢検出手段と、検出された姿勢に基づいて、歯軸に対する前記ブラシの角度であるブラシ角が予め定められた最適値になるように前記回転手段を制御する制御手段と、を備える。
【０００８】
この構成によれば、電動歯ブラシの姿勢に応じて自動的にブラシ部材が回転しブラシ角が最適値になるよう制御されるため、ブラッシング中に適切なブラシ角を容易に実現することができ、良好な刷掃効果を得ることができる。
【０００９】
ここで、前記制御手段は、検出された姿勢に基づいて、歯列表面を区分することで定義される複数の部位の中からブラッシングされているブラッシング部位を推定する部位推定手段と、検出された姿勢に基づいて、歯軸に対する前記ブラシの角度であるブラシ角を推
定するブラシ角推定手段と、を備え、前記ブラッシング部位ごとに予め設定されているブラシ角の最適値と前記推定されたブラシ角とを比較して、ブラシ角が前記最適値になるように前記回転手段を制御することが好ましい。
【００１０】
歯の種類（上顎／下顎、臼歯／切歯など）や部分（舌側／頬側、歯面／噛み合わせ面、歯周ポケットなど）によって、食物残渣や歯垢の付き方が異なり、部位ごとに効果的なブラシ角に違いがある。また、同じ種類の歯であっても歯列の右と左ではブラシの当て方が反対になる。そこで、本発明のようにブラッシング部位を推定し、その推定結果に応じてブラシ角を適宜制御することで、より良好な刷掃効果を実現できるようになる。
【００１１】
前記制御手段は、検出された姿勢に応じて、前記ブラシの運動方向又は運動周波数を変更するように前記駆動手段を制御することが好ましい。たとえば駆動手段が回転モータの場合には、回転モータの回転方向を切り替えたり、回転数を変更したりすることで、ブラシの運動方向や運動周波数を変更可能である。
【００１２】
このようにブラシ角だけでなく、ブラシ自体の運動も制御することで、より良好な刷掃効果を実現することができる。
【００１３】
前記姿勢検出手段は、加速度センサの出力に基づいて姿勢を検出するものであることが好ましい。
【００１４】
これにより、高精度に姿勢を判定でき、従来よりも高精度かつ高分解能なブラッシング部位及びブラシ角の推定が可能となる。また加速度センサは小型ゆえ、電動歯ブラシ本体への組み込みも容易である。１軸の加速度センサを用いることもできるし、好ましくは、多軸（２軸、３軸、それ以上）の加速度センサを用いることもできる。
【００１５】
前記ブラシ角が前記最適値であることを報知する報知手段をさらに備えることが好ましい。これによりユーザビリティを向上することができる。なお、報知の方法としては、光、音、音声、振動などを利用できる。
【００１６】
前記最適値が変更可能であることが好ましい。これにより、たとえば高い歯垢除去力を得たい場合にブラシ角を９０度に設定し、歯周ポケットなど歯と歯茎の間を効果的に磨きたい場合にはブラシ角を４５度に設定する、というように柔軟な使い方ができる。
【００１７】
前記制御手段は、電動歯ブラシの使用後または使用開始時に、前記ブラシ部材が予め設定された初期位置になるように前記回転手段を制御することが好ましい。これにより、ブラシの向きが初期位置からずれた状態で歯磨きを終えた場合でも、次回の歯磨き開始までにブラシの向きが自動的に初期位置に復帰する。よって、歯磨きの開始時に、より素早く最適なブラシ角に至らしめることが可能となる。
【００１８】
なお、上記手段および処理の各々は可能な限り互いに組み合わせて本発明を構成することができる。
【発明の効果】
【００１９】
本発明によれば、電動歯ブラシにおいて適切なブラシ角を容易に実現することが可能となる。
【発明を実施するための最良の形態】
【００２０】
以下に図面を参照して、この発明の好適な実施の形態を例示的に詳しく説明する。
【００２１】
＜第１実施形態＞
（電動歯ブラシの構成）
図１、図２、図３を参照して、電動歯ブラシの構成を説明する。図１は第１実施形態の電動歯ブラシのブロック図であり、図２は第１実施形態の電動歯ブラシの内部構成を示す断面図であり、図３は電動歯ブラシの外観を示す斜視図である。
【００２２】
電動歯ブラシは、外筐体１ａと内筐体１ｂとから構成される電動歯ブラシ本体１（以下、単に「本体１」ともいう。）と、本体１の内筐体１ｂに取り付けられるブラシ部材２と、を備えている。
【００２３】
本体１の外筐体１ａは、概ね円筒形状を呈する樹脂ケースからなる。外筐体１ａには、歯を磨く際に使用者が手で握るためのエラストマ製の把持部１４や、電源のオン／オフやモード切替などを行うためのスイッチＳなどが設けられている。
【００２４】
また本体１の外筐体１ａの内部には、駆動源であるモータ１０、駆動回路１２、２．４Ｖ電源である充電池１３、充電用のコイル（不図示）などが設けられている。充電池１３を充電する際には、充電器１００に本体１を載置するだけで、電磁誘導により非接触で充電可能である。駆動回路１２は、各種演算・制御を実行するＣＰＵ（入出力処理部）１２０、プログラムや各種設定値を記憶するメモリ１２１、タイマ１２２などを有している。
【００２５】
（加速度センサ）
本体１の内部には、加速度センサ１５が設けられている。加速度センサ１５としては多軸の加速度センサを用いてもよいし、１軸の加速度センサを用いてもよい。３軸加速度センサの場合は、図３に示すように、ｘ軸がブラシ面に対して平行になり、ｙ軸が本体１の長手方向に一致し、ｚ軸がブラシ面に対して垂直になるように設置するとよい。「ブラシ面」とは、ブラシの毛（繊維）と略直交し、かつ、毛の先端部分に位置する仮想的な平面をいう。１軸加速度センサの場合は、図３のｚ軸方向もしくはｘ軸方向の加速度を検出するように設置するとよい。なお本実施形態では、ｘ，ｙ，ｚの３軸加速度センサを用いる。加速度センサ１５の出力はＣＰＵ１２０に入力され、ブラシの三次元姿勢を検出するために利用される。
【００２６】
加速度センサ１５としては、ピエゾ抵抗タイプ、静電容量タイプ、もしくは熱検知タイプのＭＥＭＳセンサを好ましく利用できる。ＭＥＭＳセンサは非常に小型であるため、本体１の内部への組み込みが容易だからである。ただし、加速度センサ１５の形式はこれに限らず、動電式、歪みゲージ式、圧電式などのセンサを利用しても構わない。また特に図示しないが、各軸のセンサの感度のバランス、感度の温度特性、温度ドリフトなどを補正するための補正回路を設けるとよい。また、動加速度成分やノイズを除去するためのバンドパスフィルタ（ローパスフィルタ）を設けてもよい。また、加速度センサの出力波形を平滑化することによりノイズを低減してもよい。
【００２７】
（ブラシの駆動機構）
本体１の内筐体１ｂは、外筐体１ａに対して相対動自在に取り付けられた部品であり、外筐体１ａの先端側（ブラシ側）の開口部から突き出るように設けられたステム３を備えている。上記のブラシ部材２は、このステム３を覆うように装着される。ブラシ部材２の先端には、ブラシ２０が植毛されている。ブラシ部材２は消耗部品ゆえ、新品に交換できるよう、ステム３（内筐体１ｂ）に対して着脱自在な構成となっている。
【００２８】
ステム３は、樹脂材からなる、先端（ブラシ側の端部）が閉じた筒状の部材であり、筒の内部の先端に軸受３２を有している。モータ１０の回転軸１１に連結された偏心軸３０の先端が、ステム３の軸受３２に挿入される。この偏心軸３０は、軸受３２の近傍に重り
３１を有しており、偏心軸３０の重心はその回転中心からずれている。ＣＰＵ１２０が動作モードに応じた駆動信号（たとえばパルス幅変調信号）をモータ１０に供給し、モータ１０の回転軸１１を回転させると、回転軸１１の回転に伴って偏心軸３０も回転するが、偏心軸３０は重心がずれているために回転中心の回りに旋回するような運動を行う。よって、偏心軸３０の先端が軸受３２の内壁に対して微小な衝突を繰り返し、ブラシ２０を高速に振動（運動）させることとなる。つまり、モータ１０が、ブラシを振動（運動）させる駆動手段の役割を担い、偏心軸３０が、モータ１０の出力（回転）をブラシ２０の振動に変換する運動伝達機構（運動変換機構）の役割を担う。
【００２９】
（ブラシ部材の回転機構）
本実施形態の電動歯ブラシは、ブラシ２０のｙ軸周りの向きを変更するために、ブラシ部材２を本体１の外筐体１ａに対して相対的に回転移動させるアクチュエータ（回転手段）４０を備えている。図４Ａ及び図４Ｂにアクチュエータ４０の構成を示す。図４Ａは図４ＢのＸ−Ｘ断面図である。
【００３０】
アクチュエータ４０は、固定子４１と回転子４２を有する回転型のモータにより構成される。固定子４１は本体１の外筐体１ａに固定されており、回転子４２はモータ１０のモータハウジング４３に固定されている。ＣＰＵ１２０からアクチュエータ４０に制御信号が供給されると、その制御信号に応じた角度だけ回転子４２が回転する。なお、この実施形態では、回転子４２の回転角は−１８０度〜＋１８０度の範囲内を想定している。回転子４２の回転に伴って、モータハウジング４３及びモータ１０が回転し、さらに、モータ１０の回転軸１１に固定されている内筐体１ｂも回転する。その結果、ブラシ部材２が本体１に対して所望の角度だけ回転し、ブラシ２０の向きを変更することができる。ここで、「ブラシの向き」とは、ブラシ面の法線方向、つまり、ブラシの毛先の方向をいい、「ブラシの向きを変更する」とは、ブラシの向きのｙ軸周りの回転角を変更することをいう。
【００３１】
このアクチュエータ４０としては、ステッピングモータなど公知の回転型モータを好ましく利用できる。なお、回転出力を得ることができればよいので、弧状の固定子を有する円筒型リニアモータなども利用可能である。
【００３２】
以上述べたように、本実施形態の電動歯ブラシは、ブラシ２０を運動（振動）させるためのモータ１０と、ブラシ２０の向き（ブラシ角）を制御するためのアクチュエータ４０の、２種類のアクチュエータを備えている。互いを区別するために、モータ１０をブラシ駆動用アクチュエータ、アクチュエータ４０をブラシ角制御用アクチュエータと称することもできる。
【００３３】
（電動歯ブラシの動作）
歯の種類（上顎／下顎、臼歯／切歯など）や部分（舌側／頬側、歯面／噛み合わせ面、歯周ポケットなど）によって、食物残渣や歯垢の付き方が異なり、部位ごとに効果的なブラシ角に違いがある。また、同じ種類の歯であっても歯列の右と左ではブラシの当て方が反対になる。
【００３４】
そこで、本実施形態の電動歯ブラシは、加速度センサ１５で検出されたブラシの姿勢に基づいてブラッシング部位を推定し、ブラッシング部位に応じてブラシ角が最適値になるようアクチュエータ４０を制御する。
【００３５】
本実施形態では、図５に示すように、上下の歯列を、「上顎前頬側」、「上顎前舌側」、「上顎左頬側」、「上顎左舌側」、「上顎左噛み合わせ面」、「上顎右頬側」、「上顎右舌側」、「上顎右噛み合わせ面」、「下顎前頬側」、「下顎前舌側」、「下顎左頬側」
、「下顎左舌側」、「下顎左噛み合わせ面」、「下顎右頬側」、「下顎右舌側」、「下顎右噛み合わせ面」、の１６箇所の部位に区分する。ただし、歯列の区分はこれに限らず、もっと大まかな区分でもよいし、より細かい区分でもよい。
【００３６】
図６〜図９のフローチャートを参照して、ブラシ角の自動制御のフローを具体的に説明する。図６はメインルーチンのフローチャートであり、図７〜図９はメインルーチンの各処理の詳細を示すフローチャートである。なお、以下に説明する処理は、特にことわりのない限り、制御手段であるＣＰＵ１２０がプログラムに従って実行する処理である。
【００３７】
電動歯ブラシの電源がＯＮになると、ＣＰＵ１２０は、モータ１０を制御してブラシ２０の駆動を開始する（Ｓ１０）。以下に述べるＳ２０〜Ｓ６０の処理は一定時間ごとに繰り返し実行される。電動歯ブラシの電源がＯＦＦになるか、タイマによって計時されていた継続動作時間が所定時間（たとえば２分間）に達すると、Ｓ２０〜Ｓ６０のループが終了し（継続？；ＮＯ）、ＣＰＵ１２０はブラシ２０の駆動を停止する（Ｓ７０）。
【００３８】
（Ｓ２０：姿勢の検出）
Ｓ２０において、ＣＰＵ１２０は、加速度センサ１５の出力に基づき電動歯ブラシ本体の姿勢を検出する。図７は姿勢検出処理（Ｓ２０）のフローチャートである。
【００３９】
ＣＰＵ１２０は、加速度センサ１５からｘ、ｙ、ｚそれぞれの出力Ａｘ、Ａｙ、Ａｚを取得する（Ｓ１００）。Ａｘはｘ方向の加速度成分、Ａｙはｙ方向の加速度成分、Ａｚはｚ方向の加速度成分を表す。歯ブラシが静止状態にあるとき（加速度センサ１５に動加速度が作用していないとき）は、Ａｘ、Ａｙ、Ａｚの合成ベクトルＡが重力加速度に相当する。ここでは、Ａ＝（Ａｘ、Ａｙ、Ａｚ）を姿勢ベクトルとよぶ。
【００４０】
ここで、姿勢ベクトルＡ＝（Ａｘ、Ａｙ、Ａｚ）の大きさが１．２ｇ（ｇは重力加速度）より大きい場合は（Ｓ１０１；ＹＥＳ）、エラーを返す（Ｓ１０２）。加速度センサ出力に動加速度成分が多く含まれていると、重力加速度の方向（つまりブラシの三次元姿勢）を正確に特定するのが難しくなるからである。なお、Ｓ１０２のようにエラーを返すのではなく、合成ベクトルの大きさが１．２ｇ以下となる加速度センサ出力Ａｘ、Ａｙ、Ａｚが得られるまでＳ１００とＳ１０１の処理を繰り返すようにしてもよい。なお、エラー判定の閾値は１．２ｇに限らず、他の値でもよい。
【００４１】
（Ｓ３０：ブラッシング部位の推定）
図８、図９はブラッシング部位推定処理（Ｓ３０）のフローチャートである。また図１０、図１１は、ブラッシング部位ごとの加速度センサ出力Ａｘ、Ａｙ、Ａｚの一例を示す図である。
【００４２】
まずＣＰＵ１２０は、ｚ方向の加速度センサの出力Ａｚに基づき、上顎か下顎かを判定する（Ｓ７００）。上顎の歯列をブラッシングするときはブラシ面が少なからず上向きになり、下顎の歯列をブラッシングするときはブラシ面が少なからず下向きになることに着目した判定である。Ａｚ＞０の場合は下顎（Ｓ８０１）、Ａｚ≦０の場合は上顎（Ｓ７０１）と判定される。
【００４３】
（１）上顎の場合
ＣＰＵ１２０は、ｙ方向の加速度センサの出力Ａｙに基づいて前歯か否かを判定する（Ｓ７０２）。前歯をブラッシングするときは歯ブラシ本体１が比較的水平になるが、臼歯をブラッシングするときは唇との干渉があるため歯ブラシ本体１が斜めにならざるをえないことに着目した判定である。Ａｙ≦閾値ａの場合は上顎前歯と判定される（Ｓ７０３）。
【００４４】
上顎前歯と判定した場合、ＣＰＵ１２０は、ｘ方向の加速度センサの出力Ａｘに基づいて頬側か舌側かを判定する（Ｓ７０４）。頬側と舌側とではブラシの向きが反転することに着目した判定である。Ａｘ＞０の場合は「上顎前頬側」と判定され（Ｓ７０５）、Ａｘ≦０の場合は「上顎前舌側」と判定される（Ｓ７０６）。
【００４５】
一方、Ｓ７０２で上顎前歯でないと判定した場合、ＣＰＵ１２０は、ｘ方向の加速度センサの出力Ａｘに基づいて噛み合わせ面か否かを判定する（Ｓ７０７）。噛み合わせ面をブラッシングするときはブラシ面がほぼ水平になり、Ａｘの出力が非常に小さくなることに着目した判定である。閾値ｂ＞Ａｘ＞閾値ｃの場合は「上顎左噛み合わせ面または上顎右噛み合わせ面」と判定される（Ｓ７０８）。なお、第１実施形態では、上顎左噛み合わせ面と上顎右噛み合わせ面とをとくに区別していない。噛み合わせ面の場合、左右でブラッシング動作を変える必要性が小さいからである。
【００４６】
Ａｘ≧閾値ｂまたはＡｘ≦閾値ｃの場合、ＣＰＵ１２０は、Ａｘが０より大きいか否かで、頬側か舌側かを判定する（Ｓ７０９）。頬側と舌側とではブラシの向きが反転することに着目した判定である。Ａｘ＞０の場合は「上顎右頬側または上顎左舌側」と判定され（Ｓ７１０）、Ａｘ≦０の場合は「上顎左頬側または上顎右舌側」と判定される（Ｓ７１１）。なお、第１実施形態では、上顎右頬側と上顎左舌側とをとくに区別していない。両部位のあいだでブラシ角等を変える必要性が小さいからである。上顎左頬側と上顎右舌側についても同様である。
【００４７】
（２）下顎の場合
ＣＰＵ１２０は、ｙ方向の加速度センサの出力Ａｙに基づいて前歯か否かを判定する（Ｓ８０２）。前歯をブラッシングするときは歯ブラシ本体１が比較的水平になるが、臼歯をブラッシングするときは唇との干渉があるため歯ブラシ本体１が斜めにならざるをえないことに着目した判定である。Ａｙ≦閾値ｄの場合は下顎前歯と判定される（Ｓ８０３）。
【００４８】
下顎前歯と判定した場合、ＣＰＵ１２０は、ｘ方向の加速度センサの出力Ａｘに基づいて頬側か舌側かを判定する（Ｓ８０４）。頬側と舌側とではブラシの向きが反転することに着目した判定である。Ａｘ＜０の場合は「下顎前頬側」と判定され（Ｓ８０５）、Ａｘ≧０の場合は「下顎前舌側」と判定される（Ｓ８０６）。
【００４９】
一方、Ｓ８０２で下顎前歯でないと判定した場合、ＣＰＵ１２０は、ｘ方向の加速度センサの出力Ａｘに基づいて噛み合わせ面か否かを判定する（Ｓ８０７）。噛み合わせ面をブラッシングするときはブラシ面がほぼ水平になり、Ａｘの出力が非常に小さくなることに着目した判定である。閾値ｅ＞Ａｘ＞閾値ｆの場合は「下顎左噛み合わせ面または下顎右噛み合わせ面」と判定される（Ｓ８０８）。なお、第１実施形態では、下顎左噛み合わせ面と下顎右噛み合わせ面とをとくに区別していない。噛み合わせ面の場合、左右でブラッシング動作を変える必要性が小さいからである。
【００５０】
Ａｘ≧閾値ｅまたはＡｘ≦閾値ｆの場合、ＣＰＵ１２０は、Ａｘが０より大きいか否かで、頬側か舌側かを判定する（Ｓ８０９）。頬側と舌側とではブラシの向きが反転することに着目した判定である。Ａｘ＞０の場合は「下顎右頬側または下顎左舌側」と判定され（Ｓ８１０）、Ａｘ≦０の場合は「下顎左頬側または下顎右舌側」と判定される（Ｓ８１１）。なお、第１実施形態では、下顎右頬側と下顎左舌側とをとくに区別していない。両部位のあいだでブラシ角等を変える必要性が小さいからである。下顎左頬側または下顎右舌側についても同様である。
【００５１】
以上の処理によって、現在のブラッシング部位が、「上顎前頬側」（Ｓ７０５）、「上顎前舌側」（Ｓ７０６）、「上顎噛み合わせ面」（Ｓ７０８）、「上顎右頬側または上顎左舌側」（Ｓ７１０）、「上顎左頬側または上顎右舌側」（Ｓ７１１）、「下顎前頬側」（Ｓ８０５）、「下顎前舌側」（Ｓ８０６）、「下顎噛み合わせ面」（Ｓ８０８）、「下顎右頬側または下顎左舌側」（Ｓ８１０）、「下顎左頬側または下顎右舌側」（Ｓ８１１）のいずれかに特定される。
【００５２】
なお、上記判定アルゴリズムはあくまでも一例を示したものにすぎず、加速度センサの出力Ａｘ、Ａｙ、Ａｚからブラッシング部位を特定できるのであればどのような判定アルゴリズムでも構わない。たとえばＡｘ、Ａｙ、Ａｚの値をそのまま判定の変数として用いるのでなく、Ａｘ、Ａｙ、Ａｚを適宜組み合わせることで得られる２次変数を判定に用いてもよい。２次変数は、たとえば、Ａｙ／Ａｚ、Ａｘ・Ａｘ＋Ａｙ・Ａｙ、Ａｚ−Ａｘなど、任意に設定できる。あるいは、各軸の加速度情報Ａｘ、Ａｙ、Ａｚを、図１２に示すように角度情報（姿勢角）α、β、γに変換した後で、ブラッシング部位を判定してもよい。図１２の例では、重力加速度方向に対するｘ軸の角度をロール角α、重力加速度方向に対するｙ軸の角度をピッチ角β、重力加速度方向に対するｚ軸の角度をヨー角γのように定義している。判定に用いる閾値は臨床実験等の結果から決定することができる。
【００５３】
（Ｓ４０〜Ｓ６０：ブラシ角の制御）
Ｓ４０において、ＣＰＵ１２０は、Ｓ２００で検出された姿勢（加速度センサの出力）に基づいて現在のブラシ角の値を推定する。ブラシ角とは、歯軸（歯の頭と根に沿った軸）に対するブラシの当たり角のことである。ただし、Ｓ４０の推定処理では、アクチュエータ４０による内筐体１ｂの回転角が０度であり且つ歯軸が重力方向に一致すると仮定した場合のブラシ角を算出する。なお、ここでは０度から９０度の範囲でブラシ角を表すものとする。
【００５４】
ブラシ角は、たとえば、ｚ方向の加速度成分Ａｚから推定可能である。図１３に示すように、ブラシ角が約９０度の場合はＡｚはほとんど０を示し、ブラシ角が小さくなるほどＡｚの値が大きくなる、というようにブラシ角に応じてＡｚの値が有意に変化するからである。なお、ブラシ角に応じてｘ方向の加速度成分Ａｘも変化するため、Ａｚの代わりにＡｘからブラシ角を推定したり、ＡｘとＡｚの両方（ＡｘとＡｚの合成ベクトルの方向）からブラシ角を推定することも好ましい。ブラシ角は連続量で算出してもよいし、０度〜１０度、１０度〜２０度、・・・のように離散値で算出してもよい。
【００５５】
図１４の上段はブラシ角＝０度の状態、中段がブラシ角＝４５度の状態、下段がブラシ角＝９０度の状態を示している。噛み合わせ面を磨く場合には、ブラシ角は約０度であることが好ましい。また歯周ポケットや歯間から食物残渣や歯垢を効果的に掻き出すには、ブラシの毛先が歯周ポケットや歯間に入り込むようにブラシを動かすとよく、ブラシ角は約４５度であることが好ましい。一方、ブラシ角を９０度にすると、歯面に対して最も高い歯垢除去力を発揮できる。
【００５６】
このように、ブラッシング部位あるいは所望する刷掃効果などに依存して、最適なブラシ角を定めることができる。ここでは、「上顎噛み合わせ面」と「下顎噛み合わせ面」のブラシ角の最適値を０度、「上顎右頬側」、「上顎左舌側」、「上顎左頬側」、「上顎右舌側」、「下顎右頬側」、「下顎左舌側」、「下顎左頬側」、「下顎右舌側」におけるブラシ角の最適値を４５度、「上顎前頬側」、「上顎前舌側」、「下顎前頬側」、「下顎前舌側」におけるブラシ角の最適値を９０度、のように設定した。これらの設定値は、メモリ１２１に記憶されている。なお、ここで示したブラシ角の最適値は一例にすぎず、どのように最適値を設定してもよいし、また使用者が所望の値に最適値を変更できることも好ましい。さらには、「歯垢除去モード」と「歯周ポケットモード」のように予め複数の設
定値が用意されており、使用者が歯垢除去モードを選択すると噛み合わせ面以外のブラッシング部位では「４５度」の最適値が自動的に設定され、歯周ポケットモードを選択すると噛み合わせ面以外のブラッシング部位で「９０度」の最適値が自動的に設定されるようにしてもよい。
【００５７】
Ｓ５０では、ＣＰＵ１２０は、Ｓ４０で得られた現在のブラシ角の値と、Ｓ３０で得られたブラッシング部位におけるブラシ角の最適値とを比較し、ブラシ角が適切か否かを判定する。「４５度」のように最適値がある１つの値で定義されている場合は、現在値と最適値との差を評価すればよい。もし「４０度〜５０度」のように最適値が値域で定義されている場合は、現在値がその値域内にあるか否かを評価すればよい。
【００５８】
ここで、ブラシ角が適切でないと判定された場合（Ｓ５０；ＮＯ）、ＣＰＵ１２０は、ブラシ角の調整を行う（Ｓ６０）。具体的には、ＣＰＵ１２０は、最適値と現在値の差分を求め、その差分（角度）に相当する制御信号をアクチュエータ４０に送出し、ブラシ部材２を回転させる。これにより、ブラシ角が最適値になるようにブラシ２０の向きが制御される。
【００５９】
以上述べた本実施形態の構成によれば、電動歯ブラシの姿勢に応じて自動的にブラシ部材２が回転しブラシ角が最適値になるよう制御されるため、ブラッシング中に適切なブラシ角を容易に実現することができ、良好な刷掃効果を得ることができる。
【００６０】
＜第２実施形態＞
図１５は、本発明の第２実施形態の電動歯ブラシの構成を示している。第１実施形態と異なる点は、外筐体１ａと内筐体１ｂの間に、軸受４４が設けられている点である。この構成によれば、内筐体１ｂの位置安定性が向上する。また内筐体１ｂの位置が安定することから、アクチュエータ４０の軸方向の長さを短くすることができ、電動歯ブラシ本体１の小型化にも寄与する。
【００６１】
＜第３実施形態＞
図１６は、本発明の第３実施形態の電動歯ブラシの構成を示している。第１及び第２実施形態では、リード線を介してモータ１０への電力供給が行われていたのに対し、第３実施形態では、電気的接続部４５を介して駆動回路１２からモータ１０への電力供給が行われている点が異なる。
【００６２】
第１、第２実施形態のようにモータ１０と駆動回路１２の間がリード線で接続されている構成では、リード線のねじれや断線を防ぐために、アクチュエータ４０の回転範囲を制限する必要がある。一方、本実施形態の電気的接続部４５は、アクチュエータ４０の回転角によらず、駆動回路側の電力供給ラインとモータ１０の電極との電気的接続を確保するための回路構成である。たとえばアクチュエータ４０を３６０度以上回転させる必要がある場合などに、この構成を好適に利用することができる。
【００６３】
図１７は、電気的接続部４５の一例として、整流ブラシによる回路構成を模式的に示している。このような回路構成により、整流ブラシの接触位置によらず（内筐体１ｂと外筐体１ａの位置関係によらず）、一定方向の電流Ｉがモータ１０に流れるように、駆動回路１２側からモータ１０へと電力を供給することができる。
【００６４】
図１８は、電気的接続部４５の一例として、コイルによる回路構成を模式的に示している。このような回路構成により、電磁誘導によって駆動回路１２側からモータ１０へと電極を供給することが可能である。
【００６５】
＜第４実施形態＞
第４実施形態では、ブラシ角が最適値であることを報知する機能を設ける。具体的には、図６のＳ５０でブラシ角が適切であると判定された場合に、ＣＰＵ１２０が、外筐体１ａに設けられた発光部（ＬＥＤなど）を発光させる。使用者は、発光部の点灯状態をみることで、ブラシ角が最適値であることを容易に把握できる。
【００６６】
ここで、Ｓ４０で得られたブラシ角の現在値とＳ３０で得られたブラッシング部位の最適値の差分に応じて、報知の仕方（発光色、点滅パターンなど）を変えることも好ましい。これにより、アクチュエータ４０によるブラシ角の調整が不要な場合（本体１の姿勢が正しい状態）と、アクチュエータ４０によりブラシ角の調整が行われた場合（本体１の姿勢は正しくない状態）との区別がつくため、正しい姿勢を使用者に学習させることができる。
【００６７】
なお、報知の方法は、光以外にも、音、振動、音声などを用いることができる。音の場合は、差分に応じて音の大きさやパターンを変えることができる。振動の場合は、差分に応じて振動の強さや長さを変えることができる。音声の場合は、たとえば、「あと３０度くらい傾けて下さい」「もう少し傾けてください」「最適なブラシ角です」のような内容を報知することができる。
【００６８】
＜第５実施形態＞
第５実施形態では、検出された姿勢に応じて、ブラシ角だけでなく、ブラシの運動方向（具体的にはモータ１０の回転方向）、ブラシの運動周波数（具体的にはモータ１０の回転数）を変更する。その他の構成については上述した実施形態のものと同様であるため、以下、本実施形態に特有の構成を中心に説明を行う。
【００６９】
（振動特性）
この電動歯ブラシでは、上述のように、偏心軸の旋回運動を利用してブラシの振動を発生させており、ブラシ２０はモータ１０の回転軸に垂直な面内を楕円状の軌道を描いて振動する。本発明者らは、振動数（モータ回転数）を変化させながらブラシの振動を観察し分析することによって、この電動歯ブラシが次のような振動特性を有することを見出した。
【００７０】
（１）ブラシ部分が少なくとも２つの共振点（共振振動数）を有している。
（２）各共振点における共振の方向が異なる。具体的には、図１９に示すように、振動数が低い側の共振点（第１共振：約１２５００ｓｐｍ）ではブラシ面に平行なｘ軸方向の振幅が増大する。振動数が低い側の共振点（第２共振：約３８０００ｓｐｍ）ではブラシ面に垂直なｚ軸方向の振幅が増大する。共振外（たとえば約２６５００ｓｐｍ）では、ブラシはｘ軸（ｚ軸）に対して斜め（約４５度）の軌道を描く。なお、「ｓｐｍ」は一分間あたりのスイング回数を表す単位である。
【００７１】
方向の異なる複数の共振が出現する理由は、電動歯ブラシの構造やその駆動原理に依るところが大きいと考えられる。本発明者らは、偏心軸やブラシの構成を変更しながら実験を繰り返すことで、第１共振点が主に運動伝達機構に依存する特性であり、第２共振点が主にブラシに依存する特性であるとの知見を得ている。言い換えれば、運動伝達機構の構造や形状（簡単には偏心軸の重りの位置、大きさ、重量など）を変更することで第１共振点の振動数や振幅を調整でき、また、ブラシの構造や形状を変更することで第２共振点の振動数や振幅を調整できることが分かった。
【００７２】
図２０の上段がブラシ角＝４５度の状態を示し、図２０の下段がブラシ角＝９０度の状態を示している。また図２０の左側はモータが正転の状態、右側はモータが反転の状態を
示している。そして、それぞれの矢印はブラシの動き（振幅が最も大きい方向）を表している。概略、第１共振ではブラシが横（ｘ軸方向）に動き、第２共振ではブラシが縦（ｚ軸方向）に動き、共振外ではブラシが斜めに動く。
【００７３】
歯周ポケットや歯間から食物残渣や歯垢を効果的に掻き出すには、ブラシの毛先が歯周ポケットや歯間に入り込むようにブラシを動かすとよい。すなわち、ブラシの動く方向が歯軸に対して斜め（たとえば４５度）になることが好ましい。したがって、図２０の例では、ブラシ角が４５度の場合は、第２共振の動きが最適であることがわかる。一方、ブラシ角が９０度の場合、下顎右舌側ではモータ正転の共振外の動きが最適であり、下顎右頬側ではモータ逆転の共振外の動きが最適であることがわかる。なお、同様の考え方に従って、ブラッシング部位とブラシ角の組み合わせのそれぞれに対する最適な動作モード（モータ回転方向とブラシ振動数）を決定することができる。
【００７４】
図２１は本実施形態の動作モード切替処理のフローチャートである。この処理は、たとえば図６のＳ６０の後などに実行される。
【００７５】
ＣＰＵ１２０は、Ｓ３０で得られたブラッシング部位とＳ４０で得られたブラシ角（又はブラシ角の最適値）を、前回の処理の時のブラッシング部位およびブラシ角と比較することで、ブラッシング部位もしくはブラシ角が変化したか否かをチェックする（Ｓ１８００）。なお前回の処理の時のブラッシング部位とブラシ角はメモリに記憶されている。
【００７６】
ブラッシング部位もしくはブラシ角が変化した場合（Ｓ１８００；ＹＥＳ）、ＣＰＵ１２０は、現在のブラッシング部位が「下顎左頬側、下顎右舌側、上顎左舌側、上顎右頬側」の第１グループと、「下顎右頬側、下顎左舌側、上顎右舌側、上顎左頬側」の第２グループのいずれに該当するかを判定する（Ｓ１８０１）。そして第１グループの場合は、ＣＰＵ１２０は、モータの回転方向を正転にする（Ｓ１８０２）。第２グループの場合、ＣＰＵ１２０は、モータの回転方向を反転にする（Ｓ１８０３）。さらにＣＰＵ１２は、ブラシ角が４５度の場合にブラシの振動数を第２共振（高速）に制御し（Ｓ１８０４、Ｓ１８０５）、ブラシ角が９０度の場合にブラシの振動数を共振外（中速）に制御する（Ｓ１８０６）。
【００７７】
以上述べた本実施形態の制御によれば、ブラッシング部位とブラシ角の情報に基づき、歯間や歯周ポケットのブラッシングに最適なブラシ毛先の動きを実現でき、より一層の歯垢除去力の向上を図ることができる。
【００７８】
なお、この実施形態では、ブラシの運動方向と運動周波数の両方を制御したが、いずれか一方のみを制御する構成も好ましい。たとえば、歯肉が過敏な部位については、運動周波数を低くしてブラッシング強度を弱めにし、逆に高い刷掃効果が望まれる部位については、運動周波数を高くしてブラッシング強度を強めにすることができる。これにより刷掃効果と施療感の向上を図ることができる。また、歯ブラシの振動機構はｙｚ平面に関して対称であるため、モータの回転方向を逆転すると、ブラシはｙｚ平面に関して対称な軌道を描く。よって、ブラシの毛先が歯周ポケットから歯垢を掻き出す方向に動くように、ブラッシング部位に応じてモータの回転方向を切り替えるとよい。
【００７９】
＜第６実施形態＞
第６実施形態は、１軸の加速度センサによりブラッシング部位およびブラシ角の推定を行う構成を採用する。
【００８０】
図２２上段は、頬側または舌側の歯面をブラッシングしている状態を示している。このとき、ブラシ角（ヨー角γ）は約９０度になり、重力加速度のｘ軸方向成分は約１ｇもし
くは−１ｇとなり（正負は歯列の左右に対応する）、重力加速度のｚ軸方向成分はほぼ０となる。一方、図２２下段は、噛み合わせ面をブラッシングしている状態を示している。このとき、ブラシ角（ヨー角γ）はほぼ０度になり、重力加速度のｘ軸方向成分はほぼ０となり、重力加速度のｚ軸方向成分は約１ｇもしくは−１ｇとなる（正負は歯列の上下に対応する）。
【００８１】
このような特性を利用すれば、ｘ軸の加速度センサまたはｚ軸の加速度センサのみでも、「頬側または舌側の歯面」か「噛み合わせ面」かの判別や、さらには左右上下の判別も可能である。そして、前述の実施形態と同じく、ｘ軸またはｚ軸の加速度センサ出力からブラシ角を算出可能である。ブラッシング部位とブラシ角が推定された後の処理は、前述の実施形態と同様である。
【００８２】
＜第７実施形態＞
第７実施形態の電動歯ブラシは、電動歯ブラシの使用後にブラシ部材を初期位置に復帰させる自動復帰機能を有している。その他の構成は上述した実施形態のものと同様である。
【００８３】
図２３のフローチャートに示すように、スイッチ操作により電動歯ブラシの電源がＯＦＦされるか、タイマによって計時されていた継続動作時間が所定時間（たとえば２分間）に達すると、Ｓ２０〜Ｓ６０のループが終了し（継続？；ＮＯ）、ブラシの駆動が停止する（Ｓ７０）。その後、Ｓ２３０において、ＣＰＵ１２０がアクチュエータ４０を制御し、ブラシ部材２の角度（ブラシの向き）を初期位置（ホームポジション）に戻す。本実施形態では、ブラシ面が電動歯ブラシ本体のスイッチＳと同じ側を向いている状態（図２参照）を初期位置と定めている。
【００８４】
このような自動復帰機能によれば、ブラシの向きが初期位置からずれた状態で歯磨きを終えた場合でも、次回の歯磨き開始までにブラシの向きが自動的に初期位置に復帰する。よって、次回の歯磨き開始時に、より素早く最適なブラシ角に至らしめることが可能となる。
【００８５】
なお、電動歯ブラシが充電器１００に置かれたことを検知して、ブラシ部材を初期位置に戻すような制御も好ましい。また、電源ＯＦＦやタイマによる自動停止の後、すぐに歯磨きが再開される可能性があることを考慮し、電源ＯＦＦ等を検知してから所定時間（例えば１分）経過後に、ブラシ部材を初期位置に復帰させるようにすることも好ましい。
【００８６】
また、この実施形態では、電動歯ブラシの使用終了後に自動復帰処理を実行したが、電動歯ブラシの使用開始時（たとえば、電源がＯＮされた時、電動歯ブラシが充電器１００から取り外された時など）に自動復帰処理を実行しても、同様の作用効果が得られる。
【００８７】
＜その他＞
上述した実施形態の構成は本発明の一具体例を例示したものにすぎない。本発明の範囲は上記実施形態に限られるものではなく、その技術思想の範囲内で種々の変形が可能である。たとえば、上述した各実施形態の構成を互いに組み合わせることも好ましい。また、上記実施形態では、偏心分銅による振動方式の電動歯ブラシを例示したが、本発明は他の運動方式の電動歯ブラシにも適用可能である。例えば、回転往復運動や直線往復運動やブラシ毛回転運動やそれらを切り替えて組み合わせた電動歯ブラシにおいても適用可能である。また、充電式でなく、乾電池式や電源コードを接続して使用するタイプの電動歯ブラシにも本発明を適用可能である。
【００８８】
また、ブラシの姿勢検出の精度とブラッシング部位やブラシ角の推定精度をさらに高め
るために、加速度センサとジャイロスコープの出力から、基準位置に対するブラシの移動量や相対姿勢を算出することも好ましい。基準位置については、電源ＯＮの時点の姿勢を基準位置に設定してもよいし、あるいは、使用者に基準位置（磨き始めの位置）を入力させるような仕組み（たとえば、歯ブラシ本体を水平に構えブラシを上顎前頬側に当てた状態でスイッチを押させる）を設けてもよい。移動量（移動距離）は、加速度センサ出力から得られるｘ軸方向、ｙ軸方向、ｚ軸方向それぞれの動加速度成分を二階積分することにより算出することができる。ただし、移動量を算出する際は、歯ブラシの座標系ｘｙｚを、重力加速度方向をＺ軸とする座標系ＸＹＺ（上記基準位置が原点であるとよい）に変換する。たとえば、１クロックごとにＸ、Ｙ、Ｚそれぞれの移動距離を算出し累積していくことにより、基準位置（初期位置）に対する相対位置を割り出すことができる。そして、基準位置に対する相対位置がわかれば、上述した実施形態よりもさらに正確かつ詳細にブラッシング部位を同定することが可能である。さらに、磁気センサなどから得られる方位情報を利用してブラシの位置を算出することも好ましい。なお、加速度センサ出力から動加速度成分を抽出するには、ハイパスフィルタなどのバンドパスフィルタを用いることができる。このとき、ブラシの振動によるノイズを除去するために、ブラシの駆動周波数に相当する１００Ｈｚ〜３００Ｈｚ程度の周波数成分をカットすることも好ましい。またジャイロスコープと組み合わせてより正確な移動量や移動方向を算出することも好ましい。さらに、前歯に関しては、左右どちらの手で歯ブラシ本体を持つかによってブラシの姿勢が１８０度変わるため、使用者に利き手（歯ブラシを持つほうの手）を登録させ、登録された利き手に応じてブラッシング部位の判定アルゴリズムを変更したり、動作モード（モータ回転方向、ブラシの動き）を変更したりしてもよい。
【００８９】
また、ブラシ部材２の先端部分設けた小型カメラで口腔内を撮影し、その画像情報をブラシの姿勢検出に活用してもよい。さらに、ブラシ部材２の先端部分に温度センサや光センサを設け、それらの検出結果をブラシの姿勢検出に活用することもできる。
【図面の簡単な説明】
【００９０】
【図１】図１は第１実施形態の電動歯ブラシのブロック図である。
【図２】図２は第１実施形態の電動歯ブラシの内部構成を示す断面図である。
【図３】図３は電動歯ブラシの外観を示す斜視図である。
【図４】図４Ａ及び図４Ｂはブラシ角制御用アクチュエータの構成を示す図である。
【図５】図５はブラッシング部位の区分を示す図である。
【図６】図６は電動歯ブラシの動作のメインルーチンを示すフローチャートである。
【図７】図７は姿勢検出処理のフローチャートである。
【図８】図８はブラッシング部位推定処理（上顎）のフローチャートである。
【図９】図９はブラッシング部位推定処理（下顎）のフローチャートである。
【図１０】図１０は上顎のブラッシング部位ごとの加速度センサ出力Ａｘ、Ａｙ、Ａｚの一例を示す図である。
【図１１】図１１は下顎のブラッシング部位ごとの加速度センサ出力Ａｘ、Ａｙ、Ａｚの一例を示す図である。
【図１２】図１２は電動歯ブラシの姿勢角の定義を示す図である。
【図１３】図１３はブラシ角の変化にともなうセンサ出力の波形変化を示す図である。
【図１４】図１４はブラシ角を説明する図である。
【図１５】図１５は第２実施形態の電動歯ブラシの内部構成を示す断面図である。
【図１６】図１６は第３実施形態の電動歯ブラシの内部構成を示す断面図である。
【図１７】図１７は整流ブラシによる電気的接続部の構成を示す図である。
【図１８】図１８はコイルによる電気的接続部の構成を示す図である。
【図１９】図１９はブラシの軌道を説明する図である。
【図２０】図２０はブラシ角とブラシの動きの関係を示す図である。
【図２１】図２１は第５実施形態の動作モード切替処理のフローチャートである。
【図２２】図２２は第６実施形態の姿勢検出を説明する図である。
【図２３】図２３は第７実施形態の自動復帰処理を説明する図である。
【符号の説明】
【００９１】
１  電動歯ブラシ本体
１ａ  外筐体
１ｂ  内筐体
２  ブラシ部材
３  ステム
１０  モータ
１１  回転軸
１２  駆動回路
１３  充電池
１４  把持部
１５  加速度センサ
２０  ブラシ
３０  偏心軸
３１  重り
３２  軸受
４０  アクチュエータ
４１  固定子
４２  回転子
４３  モータハウジング
４４  軸受
１００  充電器
１２０  ＣＰＵ
１２１  メモリ
１２２  タイマ
Ｓ  スイッチ
【図１】
0005251265.tif 000002
【図２】
0005251265.tif 000003
【図３】
0005251265.tif 000004
【図４】
0005251265.tif 000005
【図５】
0005251265.tif 000006
【図６】
0005251265.tif 000007
【図７】
0005251265.tif 000008
【図８】
0005251265.tif 000009
【図９】
0005251265.tif 000010
【図１０】
0005251265.tif 000011
【図１１】
0005251265.tif 000012
【図１２】
0005251265.tif 000013
【図１３】
0005251265.tif 000014
【図１４】
0005251265.tif 000015
【図１５】
0005251265.tif 000016
【図１６】
0005251265.tif 000017
【図１７】
0005251265.tif 000018
【図１８】
0005251265.tif 000019
【図１９】
0005251265.tif 000020
【図２０】
0005251265.tif 000021
【図２１】
0005251265.tif 000022
【図２２】
0005251265.tif 000023
【図２３】
0005251265.tif 000024